(57)【要約】【課題】  使い勝手を向上させることができるペット用排泄物処理具を提供することを目的とする。【解決手段】  このペット用排泄物処理具１は、掬い部２と、掬い部２の後方側に結合して設けられた収容部３と、掬い部２の上側に設けられた把持部４とから構成されている。掬い部２は、固まっているペットの排泄物１０、例えば糞、砂や排泄物処理剤で固められた尿等を掬えるように形成されており、底部２１に複数の穴２５が設けられている。一方、収容部３は、内部３２に掬い部２で掬った排泄物１０を収容するように前方側が開口した筒状に形成されている。【選択図】    図２
2005287417.tif 000002
【特許請求の範囲】
【請求項１】
固まっているペットの排泄物を掬うための掬い部と、この掬い部の後方側に結合して前方側が開口した筒状に形成され、内部に前記掬い部で掬った前記排泄物を収容する収容部とを備えたペット用排泄物処理具において、
前記収容部内に収容された前記排泄物が抜け出るのを阻止する抜出阻止手段を備えたことを特徴とするペット用排泄物処理具。
【請求項２】
固まっているペットの排泄物を掬うための掬い部を備え、この掬い部には穴が設けられたペット用排泄物処理具において、
前記掬い部の後方側に、前方側が開口した筒状に形成されて、前記掬い部で掬った前記排泄物を内部に収容する収容部を結合して設けたことを特徴とするペット用排泄物処理具。
【請求項３】
前記掬い部で前記排泄物を掬った際に、前記排泄物及び、一緒に掬った前記排泄物以外の物が前記収容部内に侵入するのを阻止する侵入阻止手段を備えたことを特徴とする請求項２記載のペット用排泄物処理具。
【請求項４】
前記収容部内に収容された前記排泄物が抜け出るのを阻止する抜出阻止手段を備えたことを特徴とする請求項３記載のペット用排泄物処理具。
【請求項５】
前記掬い部と前記収容部との境に壁を設け、この壁により前記抜出阻止手段と前記侵入阻止手段とを構成したことを特徴とする請求項４記載のペット用排泄物処理具。
【請求項６】
前記掬い部を、前記排泄物の掬い時に前記収容部よりも低く位置するように形成して前記侵入阻止手段を構成したことを特徴とする請求項３記載のペット用排泄物処理具。
【請求項７】
前記掬い部は、前記収容部の前方側から下方へ延出した下方延出部と、この下方延出部の下側から前方へ延出した前方延出部とを有して、前記下方延出部により前記侵入阻止手段を構成し、前記収容部の底部は、後端側が下方へ向くように形成されて前記抜出阻止手段を構成したことを特徴とする請求項４記載のペット用排泄物処理具。
【発明の詳細な説明】
【技術分野】
【０００１】
本発明は、ペットの糞や、砂や排泄物処理剤で固められた尿等を処理するペット用排泄物処理具に関する。
【背景技術】
【０００２】
従来、固まっているペットの排泄物（糞、砂や排泄物処理剤で固められた尿等）を処理するペット用排泄物処理具としては、例えば、排泄物を掬うための掬い部を備え、この掬い部に穴が設けられたものが知られている。
【０００３】
このペット用排泄物処理具を使用する際には、掬い部で排泄物を掬った際に一緒に掬った排泄物以外の物（砂や排泄物処理剤等）が穴を介して排泄場所に落ちるため、排泄物の処理効率を高めている。
【０００４】
一方、別のペット用排泄物処理具としては、排泄物を掬うための掬い部と、この掬い部の後方側に結合して前方側が開口した筒状に形成され、内部に前記掬い部で掬った排泄物を収容する収容部とを備えたものが知られている。
【０００５】
このペット用排泄物処理具を使用する際には、掬い部で掬った排泄物をすぐに収容部内に収容することで、排泄物を掬っても不意に排泄場所に落ちてしまうことがなくなり、排泄物の処理効率を高めている。
【発明の開示】
【発明が解決しようとする課題】
【０００６】
しかしながら、最初に説明したペット用排泄物処理具においては、掬った排泄物を捨て場所へ持っていく途中で、排泄物についている排泄物以外の物（砂や粒状の排泄物処理剤等）がはがれて落ちてしまう場合がある。特に、室内でこのペット用排泄物処理具を使用した場合には、排泄物以外の物が床に落ちることから室内が汚れてしまう。したがって、使い勝手が良くなかった。
【０００７】
また２番目に説明したペット用排泄物処理具においては、２回、３回と続けて排泄物を掬う際に傾けると、既に収容部内に収容してある排泄物が抜け出て落ちてしまう場合がある。したがって、使い勝手が良くなかった。
【０００８】
本発明は、かかる従来の課題に鑑みてなされたものであり、使い勝手を向上させることができるペット用排泄物処理具を提供することを目的とする。
【課題を解決するための手段】
【０００９】
前記課題を解決するために本発明の請求項１記載のペット用排泄物処理具においては、固まっているペットの排泄物を掬うための掬い部と、この掬い部の後方側に結合して前方側が開口した筒状に形成され、内部に前記掬い部で掬った前記排泄物を収容する収容部とを備えたペット用排泄物処理具において、前記収容部内に収容された前記排泄物が抜け出るのを阻止する抜出阻止手段を備えたものとしている。
【００１０】
かかる構成においては、排泄物を収容部内に収容した後、続けて別の排泄物を掬うために傾けても、既に収容部内に収容してある排泄物は抜出阻止手段により阻止されて収容部内から抜け出ないため、落ちてしまうことがない。
【００１１】
また、請求項２記載のペット用排泄物処理具においては、固まっているペットの排泄物を掬うための掬い部を備え、この掬い部には穴が設けられたペット用排泄物処理具において、前記掬い部の後方側に、前方側が開口した筒状に形成されて、前記掬い部で掬った前記排泄物を内部に収容する収容部を結合して設けたものとしている。
【００１２】
かかる構成においては、掬った排泄物を収容部内に収容することにより排泄物が収容部で囲まれた状態となるため、排泄物を捨て場所へ持っていく途中で、排泄物についている排泄部以外の物（砂や粒状の排泄物処理剤等）がはがれても落ちてしまうことがない。
【００１３】
また、請求項３記載のペット用排泄物処理具においては、前記掬い部で前記排泄物を掬った際に、前記排泄物及び、一緒に掬った前記排泄物以外の物が前記収容部内に侵入するのを阻止する侵入阻止手段を備えたものとしている。
【００１４】
かかる構成においては、排泄物を掬った際に排泄物以外の物も侵入阻止手段に阻止されて収容部内に入っていかないため、掬い部の穴から落としたり取ったりして取り除くことが可能になる。
【００１５】
また、請求項４記載のペット用排泄物処理具においては、前記収容部内に収容された前記排泄物が抜け出るのを阻止する抜出阻止手段を備えたものとしている。
【００１６】
かかる構成においては、続けて排泄物を掬う際に傾けても、既に収容部内に収容してある排泄物は抜出阻止手段により阻止されて収容部内から抜け出ないため、落ちてしまうことがない。
【００１７】
また、請求項５記載のペット用排泄物処理具においては、前記掬い部と前記収容部との境に壁を設け、この壁により前記抜出阻止手段と前記侵入阻止手段とを構成したものとしている。
【００１８】
かかる構成においては、壁を設けたことにより抜出阻止手段と侵入阻止手段を兼用したため、両手段を設ける際の部品点数を抑えることができる。
【００１９】
また、請求項６記載のペット用排泄物処理具においては、前記掬い部を、前記排泄物の掬い時に前記収容部よりも低く位置するように形成して前記侵入阻止手段を構成したものとしている。
【００２０】
かかる構成においては、排泄物を掬う際に収容部が排泄場所に接触しないため、排泄物の掬い時における収容部の汚れを防止することができる。
【００２１】
また、請求項７記載のペット用排泄物処理具においては、前記掬い部は、前記収容部の前方側から下方へ延出した下方延出部と、この下方延出部の下側から前方へ延出した前方延出部とを有して、前記下方延出部により前記侵入阻止手段を構成し、前記収容部の底部は、後端側が下方へ向くように形成されて前記抜出阻止手段を構成したものとしている。
【００２２】
かかる構成においては、掬い部及び収容部の構成部位から侵入阻止手段と抜出阻止手段とをそれぞれ構成したため、両手段を設けるために新たに部品を追加する必要がない。
【発明の効果】
【００２３】
本発明の請求項１記載のペット用排泄物処理具においては、排泄物を収容部内に収容した後、続けて別の排泄物を掬うために傾けても、既に収容部内に収容してある排泄物は抜出阻止手段により阻止されて収容部内から抜け出ないため、落ちてしまうことがない。よって、使い勝手を向上させることができる。
【００２４】
また、本発明の請求項２記載のペット用排泄物処理具においては、掬った排泄物を収容部内に収容することにより排泄物が収容部で囲まれた状態となるため、排泄物を捨て場所へ持っていく途中で、排泄物についている排泄部以外の物（砂や粒状の排泄物処理剤等）がはがれても落ちてしまうことがない。よって、使い勝手を向上させることができる。
【００２５】
また、本発明の請求項３記載のペット用排泄物処理具においては、排泄物を掬った際に排泄物以外の物も侵入阻止手段に阻止されて収容部内に入っていかないため、掬い部の穴から落としたり取ったりして取り除くことが可能になる。よって、排泄物の処理効率を高めることができる。
【００２６】
また、本発明の請求項４記載のペット用排泄物処理具においては、続けて排泄物を掬う際に傾けても、既に収容部内に収容してある排泄物は抜出阻止手段により阻止されて収容部内から抜け出ないため、落ちてしまうことがない。よって、使い勝手をさらに向上させることができる。
【００２７】
また、本発明の請求項５記載のペット用排泄物処理具においては、壁を設けたことにより抜出阻止手段と侵入阻止手段を兼用したため、両手段を設ける際の部品点数を抑えることができる。よって、コストを抑えて抜出阻止手段と侵入阻止手段の両方の効果を得ることができる。
【００２８】
また、本発明の請求項６記載のペット用排泄物処理具においては、排泄物を掬う際に収容部が排泄場所に接触しないため、排泄物の掬い時における収容部の汚れを防止することができる。よって、使い勝手をさらに向上させることができる。
【００２９】
また、本発明の請求項７記載のペット用排泄物処理具においては、掬い部及び収容部の構成部位から侵入阻止手段と抜出阻止手段とをそれぞれ構成したため、両手段を設けるために新たに部品を追加する必要がない。よって、コストを抑えて抜出阻止手段と侵入阻止手段の両方の効果を得ることができる。
【発明を実施するための最良の形態】
【００３０】
本発明をより詳細に説明するために、以下添付図面に従ってこれを説明する。
【００３１】
図１は本発明の第１の実施の形態を示すペット用排泄物処理具１の左側面図であり、図２は図１の縦断面図である。
【００３２】
このペット用排泄物処理具１は合成樹脂によって前方側が開口した筒状に形成されており、掬い部２と、掬い部２の後方側に結合して設けられた収容部３と、掬い部２の上側に設けられた把持部４とから構成されている。
【００３３】
掬い部２は、固まっているペットの排泄物１０、例えば糞、砂や排泄物処理剤で固められた尿等を掬えるように前後側が開口した筒状に形成されている。
【００３４】
また掬い部２の底部２１は、収容部３の底部３１の前側から下方へ延出した下方延出部２２と、下方延出部２２の下側から前方へ延出した前方延出部２３とから構成されている。
【００３５】
下方延出部２２は、前方延出部２３で排泄物１０を掬った際に排泄物１０及び一緒に掬った排泄物以外の物２０（例えば砂や粒状の排泄物処理剤）が収容部３内へ侵入するのを阻止するように高さ（段差）２２ｈが設定されており、本発明の侵入阻止手段を構成している。
【００３６】
また前方延出部２３は、収容部３の底部３１との間に間隔Ａをあけるように下方延出部２２の下側からさらに下方へ斜めに形成されている。これにより掬い部２は、排泄物１０の掬い時に収容部３よりも低く位置するように形成されている。
【００３７】
また、前方延出部２３の先端部２４は上方へ屈曲されている一方、この前方延出部２３には複数の穴２５が設けられている。
【００３８】
一方、収容部３は、内部３２に掬い部２で掬った排泄物１０を収容するように前方側が開口した筒状に形成されている。
【００３９】
またこの収容部３は、掬い部２に対して後方側が下方へ傾いて形成されており、これにより収容部３の底部３１は、後端側が下方へ向くように斜めに形成されている。
【００４０】
そしてこの底部３１は、収容部３内に収容された排泄物１０が抜け出るのを阻止するように傾斜角度３１αが設定されており、本発明の抜出阻止手段を構成している。なおこの傾斜角度３１αは、排泄物１０を掬う際に、排泄場所の地面に接触させる、掬い部２の前方延出部２３の先端部２４の接触面２４ａを、排泄場所の地面に対して水平にした時に、底部３１の後端側が下方へ向くように傾斜させる角度である。
【００４１】
また把持部４は、使用者がつかめるように、掬い部２の上側から収容部３との間に間隔Ｂをあけて後方へ延出して形成されている。
【００４２】
かかる構成において、排泄物１０を掬う際には掬い部２が収容部３よりも低く位置することから、排泄場所には掬い部２が接触して収容部３は接触しない。このため、排泄物１０の掬い時における収容部３の汚れを防止することができる。よって、本実施の形態のペット用排泄物処理具１においては、使い勝手を向上させることができる。
【００４３】
またこのペット用排泄物処理具１においては、排泄物１０を掬った際に排泄物以外の物２０も掬い部２の下方延出部２２で阻止されて収容部３内へ入っていかないため、排泄物以外の物２０を掬い部２の穴５から落としたり取ったりしてきれいに取り除くことが可能になる。よって、排泄物１０の処理効率を高めることができる。
【００４４】
また、このペット用排泄物処理具１においては、掬った排泄物１０を収容部３内に収容することにより排泄物１０が収容部３で囲まれた状態となるため、排泄物１０を捨て場所へ持っていく途中で、排泄物１０についている排泄部以外の物２０（砂や粒状の排泄物処理剤等）がはがれても落ちてしまうことがない。よって、使い勝手をさらに向上させることができる。
【００４５】
また、このペット用排泄物処理具１においては、排泄物１０を収容部３内に収容した後、続けて別の排泄物を掬うために傾けても、既に収容部３内に収容してある排泄物１０は底部３１で阻止されて収容部３内から抜け出ないため、落ちてしまうことがない。よって、使い勝手をさらに向上させることができる。
【００４６】
さらに、このペット用排泄物処理具１においては、掬い部２の構成部位である下方延出部２２により侵入阻止手段を構成し、収容部３の構成部位である底部３１により抜出阻止手段を構成した。このため、侵入阻止手段や抜出阻止手段を設けるために新たに部品を追加する必要がない。よって、コストを抑えて、排泄物１０の処理効率を高めるとともに使い勝手を向上させることができる。
【００４７】
さらに、このペット用排泄物処理具１においては、侵入阻止手段および抜出阻止手段を、処理具１の周壁を構成している底部３および下方延出部２２から構成したため、処理具１を一体成形することが可能となる。よって、成形を容易にしつつ、排泄物１０の処理効率を高めるとともに使い勝手を向上させることができる。
【００４８】
図３は本発明の第２の実施の形態を示すペット用排泄物処理具１０１の縦断面図である。このペット用排泄物処理具１０１は合成樹脂によって形成されており、掬い部１０２と、掬い部１０２の後方側に結合して設けられた収容部１０３と、掬い部１０２と収容部１０３との境に設けられた壁１０４とから構成されている。
【００４９】
掬い部１０２は、固まっているペットの排泄物１０、例えば糞、砂や排泄物処理剤で固められた尿等を掬えるように収容部１０３の底部１３１の前側から前方へ延出して形成されており、前部１２１は斜め上方へ屈曲されている。さらにこの掬い部１０２には、前部以外の部分１２２に複数の穴１２３が設けられている。
【００５０】
一方、収容部１０３は、内部１３２に掬い部１０２で掬った排泄物１０を収容するように前方側が開口した筒状に形成されている。
【００５１】
また壁１０４は、掬い部１０２と収容部１０３との境から起立して設けられている。さらにこの壁１０４は、掬い部１０２で排泄物１０を掬った際に排泄物１０及び一緒に掬った排泄物以外の物２０（例えば砂や粒状の排泄物処理剤）が収容部１０３内に侵入するのを阻止するとともに、収容部１０３内に収容された排泄物１０が抜け出るのを阻止するように収容部１０３の開口部１３３を塞がない範囲で高さ１０４ｈが設定されており、本発明の侵入阻止手段と抜出阻止手段を構成している。
【００５２】
かかる構成においては、排泄物１０を掬った際に排泄物以外の物２０も壁１０４で阻止されて収容部１０３内に入っていかないため、排泄物以外の物２０を掬い部１０２の穴１２３から落としたり取ったりしてきれいに取り除くことが可能になる。よって、本実施の形態のペット用排泄物処理具１０１においては、排泄物１０の処理効率を高めることができる。
【００５３】
また、このペット用排泄物処理具１０１においては、掬った排泄物１０を収容部１０３内に収容することにより排泄物１０が収容部１０３で囲まれた状態となるため、排泄物１０を捨て場所へ持っていく途中で、排泄物１０についている排泄部以外の物２０（砂や粒状の排泄物処理剤等）がはがれても落ちてしまうことがない。よって、使い勝手を向上させることができる。
【００５４】
さらに、このペット用排泄物処理具１０１においては、排泄物１０を収容部１０３内に収容した後、続けて別の排泄物を掬うために傾けても、既に収容部１０３内に収容してある排泄物１０は壁１０４で阻止されて収容部１０３内から抜け出ないため、落ちてしまうことがない。よって、使い勝手をさらに向上させることができる。
【００５５】
また、このペット用排泄物処理具１０１においては、壁１０４により抜出阻止手段と侵入阻止手段を兼用したため、両手段を設ける際の部品点数を抑えることができる。よって、コストを抑えて、使い勝手を向上させるとともに、排泄物１０の処理効率を高めることができる。
【００５６】
図４は、本発明の第３の実施の形態を示すペット用排泄物処理具２０１の縦断面図である。このペット用排泄物処理具２０１は合成樹脂によって形成されており、掬い部２０２と、掬い部２０２の後方側に結合して設けられた収容部２０３とから構成されている。
【００５７】
掬い部２０２は、固まっているペットの排泄物１０、例えば糞、砂や排泄物処理剤で固められた尿等を掬えるように略Ｌ字状に屈曲形成されており、収容部２０３の底部２３１の前側から下方へ延出した下方延出部２２１と、下方延出部２２１の下側から前方へ延出した前方延出部２２２とから構成されている。したがって、掬い部２０２は、排泄物１０の掬い時に収容部２０３よりも低く位置するように形成されている。
【００５８】
また下方延出部２２１は、前方延出部２２２で排泄物１０を掬った際に排泄物１０及び一緒に掬った排泄物以外の物２０（例えば砂や粒状の排泄物処理剤）が収容部２０３内へ侵入するのを阻止するように高さ（段差）２２１ｈが設定されており、本発明の侵入阻止手段を構成している。
【００５９】
また前方延出部２２２は前部２２３が斜め上方へ屈曲されており、前部２２３以外の部分２２４には複数の穴２２５が設けられている。
【００６０】
一方、収容部２０３は、内部２３２に掬い部２０２で掬った排泄物１０を収容するように前方側が開口した筒状に形成されている。
【００６１】
かかる構成において、排泄物１０を掬う際には掬い部２０２が収容部２０３よりも低く位置することから、排泄場所には掬い部２０２が接触して収容部２０３は接触しない。このため、排泄物１０の掬い時における収容部２０３の汚れを防止することができる。よって、本実施の形態のペット用排泄物処理具２０１においては、使い勝手を向上させることができる。
【００６２】
またこのペット用排泄物処理具２０１においては、排泄物１０を掬った際に排泄物以外の物２０も掬い部２０２の下方延出部２２１で阻止されて収容部２０３内へ入っていかないため、排泄物以外の物２０を掬い部２０２の穴２２５から落としたり取ったりしてきれいに取り除くことが可能になる。よって、排泄物１０の処理効率を高めることができる。
【００６３】
さらに、このペット用排泄物処理具２０１においては、掬い部２０２の構成部位である下方延出部２２１により侵入阻止手段を構成したため、侵入阻止手段を設けるために新たに部品を追加する必要がない。よって、コストを抑えて排泄物１０の処理効率を高めることができる。
【００６４】
また、このペット用排泄物処理具２０１においては、掬った排泄物１０を収容部２０３内に収容することにより排泄物１０が収容部２０３で囲まれた状態となるため、排泄物１０を捨て場所へ持っていく途中で、排泄物１０についている排泄部以外の物２０（砂や粒状の排泄物処理剤等）がはがれても落ちてしまうことがない。よって、使い勝手をさらに向上させることができる。
【００６５】
図５は、本発明の第４の実施の形態を示すペット用排泄物処理具３０１の縦断面図である。このペット用排泄物処理具３０１は合成樹脂によって形成されており、掬い部３０２と、掬い部３０２の後方側に結合して設けられた収容部３０３とから構成されている。
【００６６】
掬い部３０２は、固まっているペットの排泄物１０、例えば糞、砂や排泄物処理剤で固められた尿等を掬えるように収容部３０３の底部３３１の前側から下方へ湾曲したＵ字状に形成されており、したがって、掬い部３０２は、排泄物１０の掬い時に収容部３０３よりも低く位置している。
【００６７】
また、この掬い部３０２は、収容部３０３側の傾斜部３２１が、排泄物１０を掬った際に排泄物１０及び一緒に掬った排泄物以外の物２０（例えば砂や粒状の排泄物処理剤）が収容部１０３内へ侵入するのを阻止するように傾斜角度３２１αが設定されており、本発明の侵入阻止手段を構成している。さらにこの掬い部３０２には複数の穴３２２が設けられている。
【００６８】
一方、収容部３０３は、内部３３２に掬い部３０２で掬った排泄物１０を収容するように前方側が開口した筒状に形成されている。
【００６９】
かかる構成において、排泄物１０を掬う際には掬い部３０２が収容部３０３よりも低く位置することから、排泄場所には掬い部３０２が接触して収容部３０３は接触しない。このため、排泄部１０の掬い時における収容部３０３の汚れを防止することができる。よって、本実施の形態のペット用排泄物処理具３０１においては、使い勝手を向上させることができる。
【００７０】
またこのペット用排泄物処理具３０１においては、排泄物１０を掬った際に排泄物以外の物２０も収容部３０３側の傾斜部３２１で阻止されて収容部３０３内に入っていかないため、排泄物以外の物２０を掬い部３０２の穴３２２から落としたり取ったりしてきれいに取り除くことが可能になる。よって、本実施の形態のペット用排泄物処理具３０１においては、排泄物１０の処理効率を高めることができる。
【００７１】
さらに、このペット用排泄物処理具３０１においては、掬い部３０２の構成部位である傾斜部３２１により侵入阻止手段を構成したため、侵入阻止手段を設けるために新たに部品を追加する必要がない。よって、コストを抑えて排泄物１０の処理効率を高めることができる。
【００７２】
また、このペット用排泄物処理具３０１においては、掬った排泄物１０を収容部３０３内に収容することにより排泄物１０が収容部３０３で囲まれた状態となるため、排泄物１０を捨て場所へ持っていく途中で、排泄物１０についている排泄部以外の物２０（砂や粒状の排泄物処理剤等）がはがれても落ちてしまうことがない。よって、使い勝手をさらに向上させることができる。
【００７３】
図６は、本発明の第５の実施の形態を示すペット用排泄物処理具４０１の縦断面図である。このペット用排泄物処理具４０１は合成樹脂によって形成されており、掬い部４０２と、掬い部４０２の後方側に結合して設けられた収容部４０３とから構成されている。
【００７４】
掬い部４０２は、固まっているペットの排泄物１０、例えば糞、砂や排泄物処理剤で固められた尿等を掬えるように収容部４０３の底部４３１の前側から前方へ延出して形成されており、前部４２１は斜め上方へ屈曲されている。
【００７５】
一方、収容部４０３は、内部４３２に掬い部４０２で掬った排泄物１０を収容するように前方側が開口した筒状に形成されている。
【００７６】
またこの収容部４０３は、掬い部４０２に対して後方側が下方へ傾いて形成されており、これにより収容部４０３の底部４３１は、後端側が下方へ向くように斜めに形成されている。
【００７７】
そしてこの底部４３１は、収容部４０３内に収容された排泄物１０が抜け出るのを阻止するように傾斜角度４３１αが設定されており、本発明の抜出阻止手段を構成している。なおこの傾斜角度４３１αは、排泄物１０を掬う際に、排泄場所の地面に接触させる、掬い部４０２の前部４２１の接触面４２１ａを、排泄場所の地面に対して水平にした時に、底部４３１の後端側が下方へ向くように傾斜させる角度である。
【００７８】
かかる構成においては、掬った排泄物１０を収容部４０３内に収容することにより排泄物１０が収容部４０３で囲まれた状態となるため、排泄物１０を捨て場所へ持っていく途中で、排泄物１０についている排泄部以外の物２０（砂や粒状の排泄物処理剤等）がはがれても落ちてしまうことがない。よって、本実施の形態のペット用排泄物処理具４０１においては、使い勝手を向上させることができる。
【００７９】
また、このペット用排泄物処理具４０１においては、排泄物１０を収容部４０３内に収容した後、続けて別の排泄物を掬うために傾けても、既に収容部４０３内に収容してある排泄物１０は底部４３１で阻止されて収容部４０３内から抜け出ないため、落ちてしまうことがない。よって、使い勝手をさらに向上させることができる。
【００８０】
さらに、このペット用排泄物処理具４０１においては、収容部４０３の構成部位である底部４３１により抜出阻止手段を構成したため、抜出阻止手段を設けるために新たに部品を追加する必要がない。よって、コストを抑えて排泄物１０の処理効率を高めることができる。
【００８１】
図７は、本発明の第６の実施の形態を示すペット用排泄物処理具５０１の縦断面図である。このペット用排泄物処理具５０１は合成樹脂によって形成されており、掬い部５０２と、掬い部５０２の後方側に結合して設けられた収容部５０３とから構成されている。
【００８２】
掬い部５０２は、固まっているペットの排泄物１０、例えば糞、砂や排泄物処理剤で固められた尿等を掬えるように略逆Ｌ字状に屈曲形成されており、収容部５０３の底部５３１の前側から上方へ延出した上方延出部５２１と、上方延出部５２１の上側から前方へ延出した前方延出部５２２とから構成されている。
【００８３】
また上方延出部５２１は、収容部５０３内に収容された排泄物１０が抜け出るのを阻止するように高さ（段差）５２１ｈが設定されており、本発明の抜出阻止手段を構成している。
【００８４】
また前方延出部５２２は、前端部５２３が斜め上方へ屈曲されている。
【００８５】
一方、収容部５０３は、内部５３２に掬い部５０２で掬った排泄物１０を収容するように前方側が開口した筒状に形成されている。
【００８６】
かかる構成においては、掬った排泄物１０を収容部５０３内に収容することにより排泄物１０が収容部５０３で囲まれた状態となるため、排泄物１０を捨て場所へ持っていく途中で、排泄物１０についている排泄部以外の物２０（砂や粒状の排泄物処理剤等）がはがれても落ちてしまうことがない。よって、本実施の形態のペット用排泄物処理具５０１においては、使い勝手を向上させることができる。
【００８７】
また、このペット用排泄物処理具５０１においては、排泄物１０を収容部５０３内に収容した後、続けて別の排泄物を掬うために傾けても、既に収容部５０３内に収容してある排泄物１０は上方延出部５２１で阻止されて収容部５０３内から抜け出ないため、落ちてしまうことがない。よって、使い勝手をさらに向上させることができる。
【００８８】
さらに、このペット用排泄物処理具５０１においては、掬い部５０２の構成部位である上方延出部５２１により抜出阻止手段を構成したため、抜出阻止手段を設けるために新たに部品を追加する必要がない。よって、コストを抑えて排泄物１０の処理効率を高めることができる。
【００８９】
図８は、本発明の第７の実施の形態を示すペット用排泄物処理具６０１の縦断面図である。このペット用排泄物処理具６０１は合成樹脂によって形成されており、掬い部６０２と、掬い部６０２の後方側に結合して設けられた収容部６０３と、掬い部６０２と収容部６０３との境に設けられた壁６０４とから構成されている。
【００９０】
掬い部６０２は、固まっているペットの排泄物１０、例えば糞、砂や排泄物処理剤で固められた尿等を掬えるように収容部６０３の底部６３１の前側から前方へ延出して形成されており、前部６２１は斜め上方へ屈曲されている。
【００９１】
一方、収容部６０３は、内部６３２に掬い部６０２で掬った排泄物１０を収容するように前方側が開口した筒状に形成されている。
【００９２】
また壁６０４は、掬い部６０２と収容部６０３との境から起立して設けられている。さらにこの壁６０４は、掬い部６０２で排泄物１０を掬った際に排泄物１０及び一緒に掬った排泄物以外の物２０（例えば砂や粒状の排泄物処理剤）が収容部６０３内へ侵入するのを阻止するとともに、収容部内６０３に収容された排泄物１０が抜け出るのを阻止するように収容部６０３の開口部６３３を塞がない範囲で高さ６０４ｈが設定されており、本発明の侵入阻止手段と抜出阻止手段を構成している。
【００９３】
かかる構成においては、排泄物１０を掬った際に排泄物以外の物２０も壁６０４で阻止されて収容部６０３内に入っていかないため、排泄物以外の物２０をきれいに取り除くことが可能になる。よって、本実施の形態のペット用排泄物処理具６０１においては、排泄物１０の処理効率を高めることができる。
【００９４】
また、このペット用排泄物処理具６０１においては、掬った排泄物１０を収容部６０３内に収容することにより排泄物１０が収容部６０３で囲まれた状態となるため、排泄物１０を捨て場所へ持っていく途中で、排泄物１０についている排泄部以外の物２０（砂や粒状の排泄物処理剤等）がはがれても落ちてしまうことがない。よって、使い勝手を向上させることができる。
【００９５】
さらに、このペット用排泄物処理具６０１においては、排泄物１０を収容部６０３内に収容した後、続けて別の排泄物を掬うために傾けても、既に収容部６０３内に収容してある排泄物１０は壁６０４で阻止されて収容部６０３内から抜け出ないため、落ちてしまうことがない。よって、使い勝手をさらに向上させることができる。
【００９６】
また、このペット用排泄物処理具６０１においては、壁６０４により抜出阻止手段と侵入阻止手段を兼用したため、両手段を設ける際の部品点数を抑えることができる。よって、コストを抑えて、使い勝手を向上させるとともに、排泄物１０の処理効率を高めることができる。
【図面の簡単な説明】
【００９７】
【図１】本発明の第１の実施の形態を示すペット用排泄物処理具の左側面図である。
【図２】図１の縦断面図である。
【図３】本発明の第２の実施の形態を示すペット用排泄物処理具の縦断面図である。
【図４】本発明の第３の実施の形態を示すペット用排泄物処理具の縦断面図である。
【図５】本発明の第４の実施の形態を示すペット用排泄物処理具の縦断面図である。
【図６】本発明の第５の実施の形態を示すペット用排泄物処理具の縦断面図である。
【図７】本発明の第６の実施の形態を示すペット用排泄物処理具の縦断面図である。
【図８】本発明の第７の実施の形態を示すペット用排泄物処理具の縦断面図である。
【符号の説明】
【００９８】
１    ペット用排泄物処理具
２    掬い部
３    収容部
１０    排泄物
２０    排泄物以外の物
２２    下方延出部
２３    前方延出部
２５    穴
３１    底部
３２    内部
１０１    ペット用排泄物処理具
１０２    掬い部
１０３    収容部
１０４    壁
１２３    穴
１３２    内部
２０１    ペット用排泄物処理具
２０２    掬い部
２０３    収容部
２２１    下方延出部
２２２    前方延出部
２２５    穴
２３２    内部
３０１    ペット用排泄物処理具
３０２    掬い部
３０３    収容部
３２１    傾斜部
３２２    穴
３３２    内部
４０１    ペット用排泄物処理具
４０２    掬い部
４０３    収容部
４３１    底部
４３２    内部
５０１    ペット用排泄物処理具
５０２    掬い部
５０３    収容部
５２１    上方延出部
５３２    内部
６０１    ペット用排泄物処理具
６０２    掬い部
６０３    収容部
６０４    壁
６３２    内部
【図１】
2005287417.tif 000003
【図２】
2005287417.tif 000004
【図３】
2005287417.tif 000005
【図４】
2005287417.tif 000006
【図５】
2005287417.tif 000007
【図６】
2005287417.tif 000008
【図７】
2005287417.tif 000009
【図８】
2005287417.tif 000010